(57)【要約】【課題】独立基礎Ｂや、はり基礎にも振動機器Ａが据付可能な防振架台１を提供する。【解決手段】フレーム２２，２３，３２，３３の各端部を取付ねじ２７，３６によってコーナーブラケット２１，３１に固定することで上架台２及び下架台３を構成し、その取付ねじ２７，３６によって、防振部材４をフレームに係止する取付具６の、フレームの長手方向への移動を規制する。コーナーブラケットに設けたジャッキ機構部５は、ボルト５１とナット５４とから構成する。【選択図】            図２
2004324656.tif 000002
【特許請求の範囲】
【請求項１】
振動機器と基礎との間に介在して、該振動機器を該基礎に対して据え付ける防振架台であって、
上記振動機器に取り付けられる複数のコーナーブラケットと、該コーナーブラケット間を互いに連結する複数のフレームとからなる枠状の上架台と、
上記基礎に固定される複数のコーナーブラケットと、該コーナーブラケット間を互いに連結する複数のフレームとからなりかつ、上記上架台の下方位置に相対向して配設される枠状の下架台と、
相対向して配設された上記上架台のフレームと下架台のフレームとの間の、上記コーナーブラケット近傍位置それぞれに配設される複数の防振部材と、
上記各防振部材を上架台のフレームと下架台のフレームとにそれぞれ係止させる取付具と、を備え、
上記上架台及び下架台は、各フレームの各端部が取付ねじによって上記コーナーブラケットに固定されて構成され、
上記各取付具は、相対向して配設された上架台及び下架台のフレームそれぞれの対向面に当接する本体部と、該本体部における少なくとも架台外方側で上記フレームの長手方向に互いに離されて設けられて上記フレームの架台外方側縁部に係止される一対の係止片とを有し、
上記本体部が上記取付ねじと係合することによって、上記取付具の上記フレームの長手方向への移動が規制されると共に、
上記上架台が上方に持ち上げられたときには、架台外方側に、上記上架台のフレームの対向面と上記取付具の本体部と上記一対の係止片とによって区画される開口が形成され、該開口内を通って上記取付具とフレームとの間にシムを挿入可能に構成されていることを特徴とする防振架台。
【請求項２】
請求項１において、
相対向して配設された上架台のコーナーブラケットと下架台のコーナーブラケットとの間に配設されるジャッキ機構部をさらに備え、
上記ジャッキ機構部は、その下端部が上記下架台のコーナーブラケットに固定されると共に、その上端部が上記上架台のコーナーブラケットに設けられた貫通孔内に内挿されるボルトと、該貫通孔よりも下側位置で該ボルトにねじ込まれるジャッキ用ナットとを有しかつ、上記ジャッキ用ナットをボルトの軸に沿って上方に移動させることにより、該ジャッキ用ナットが上記貫通孔の周縁部に当接して上架台のコーナーブラケットを上方に持ち上げるように構成されていることを特徴とする防振架台。
【請求項３】
請求項２において、
ジャッキ機構部は、上架台のコーナーブラケットに設けられた貫通孔よりも上側位置でボルトにねじ込まれるストッパー用ナットをさらに有していることを特徴とする防振架台。
【発明の詳細な説明】
【０００１】
【発明の属する技術分野】
本発明は、例えば空調機の室外機等の振動機器と基礎との間に介在して、該振動機器を該基礎に対して据え付ける防振架台に関する。
【０００２】
【従来の技術】
従来より、この種の防振架台として、振動機器に取り付けられる上架台と、基礎に取り付けられる下架台と、この上架台と下架台との間に介設されて振動機器の振動を吸収する防振部材とから構成されたものが知られている（例えば特許文献１参照）。
【０００３】
また、４つのフレームを枠状に配設しかつ、これらのフレームの端部同士を取付ねじによって互いに連結することで上架台及び下架台が構成される組み立て式の防振架台も知られている（例えば特許文献２参照）。
【０００４】
こうした防振架台では、振動機器の据え付けの際にレベル調整が行われるが、そのレベル調整は、例えば特許文献３に記載されているように、上架台と下架台との間に介設された防振部材を、フレームの適当な位置に位置づけることによって行うのが一般的である。すなわち、振動機器を上架台に載置した状態でジャッキによってその上架台を持ち上げ、この状態で上記防振部材をフレームの長手方向に移動させて適当な位置に位置づけるのである。このように、レベル調整の際にはジャッキが別途必要となるが、例えば特許文献４には、防振架台自体に、上架台を持ち上げるジャッキ機構を設けることが提案されている。
【０００５】
【特許文献１】
特開平７−２０８５４２号公報
【特許文献２】
特開２００１−３０４３３５号公報
【特許文献３】
実公昭５４−２４１８２号公報
【特許文献４】
実公昭５５−３９８７０号公報
【０００６】
【発明が解決しようとする課題】
ところが、従来の防振架台においては、レベル調整のために防振部材をフレームの適当な位置に位置づけるため、その防振架台が設置される基礎は、フレームの全体が支持されるいわゆる全面基礎である必要があり、フレームの一部が支持されるいわゆる独立基礎や、はり基礎には防振架台を設置することができない。このように、従来の防振架台は、振動機器の据え付け場所に制限があるという不都合がある。
【０００７】
本発明は、このような事情に鑑みてなされたものであり、その目的とするところは、独立基礎や、はり基礎にも振動機器が据付可能な防振架台を提供することにある。
【０００８】
【課題を解決するための手段】
本発明の防振架台は、振動機器と基礎との間に介在して、該振動機器を該基礎に対して据え付けるものである。
【０００９】
上記防振架台は、上記振動機器に取り付けられる複数のコーナーブラケットと、該コーナーブラケット間を互いに連結する複数のフレームとからなる枠状の上架台と、上記基礎に固定される複数のコーナーブラケットと、該コーナーブラケット間を互いに連結する複数のフレームとからなりかつ、上記上架台の下方位置に相対向して配設される枠状の下架台と、相対向して配設された上記上架台のフレームと下架台のフレームとの間の、上記コーナーブラケット近傍位置それぞれに配設される複数の防振部材と、上記各防振部材を上架台のフレームと下架台のフレームとにそれぞれ係止させる取付具と、を備える。
【００１０】
そして、上記上架台及び下架台は、各フレームの各端部が取付ねじによって上記コーナーブラケットに固定されて構成され、上記各取付具は、相対向して配設された上架台及び下架台のフレームそれぞれの対向面に当接する本体部と、該本体部における少なくとも架台外方側で上記フレームの長手方向に互いに離されて設けられて上記フレームの架台外方側縁部に係止される一対の係止片とを有し、上記本体部が上記取付ねじと係合することによって、上記取付具の上記フレームの長手方向への移動が規制されると共に、上記上架台が上方に持ち上げられたときには、架台外方側に、上記上架台のフレームの対向面と上記取付具の本体部と上記一対の係止片とによって区画される開口が形成され、該開口内を通って上記取付具とフレームとの間にシムを挿入可能に構成される。
【００１１】
この構成によると、防振架台の上架台及び下架台はそれぞれ、コーナーブラケットとフレームとが取付ねじによって互いに固定されて構成される組み立て式の架台である。
【００１２】
そして、相対向して配設される上架台と下架台との間の、コーナーブラケット近傍位置に配設される防振部材は、上架台のフレームと下架台のフレームとにそれぞれ取付具を介して係止される。この取付具は本体部を有しており、この本体部は上記コーナーブラケットとフレームとを互いに固定する取付ねじと係合することによって、上記取付具のフレームの長手方向の移動を規制する。このように本発明の防振架台は、従来の防振架台とは異なり、防振部材を移動させない構造である。防振部材を移動させないことによって、フレームの全体を基礎に支持させる必要がなく、独立基礎や、はり基礎等のフレームの一部（特にコーナーブラケット近傍の部分）が支持される基礎に防振架台を設置して、振動機器をその基礎に据え付けることが可能になる。
【００１３】
また、上記取付具の移動を規制する取付ねじは、コーナーブラケットとフレームとの固定に用いられるものであるため、部品の兼用化による部品点数の低減化が図られる。
【００１４】
ここで、本発明の防振架台は、防振部材を移動させない構成であるため、レベル調整のためには、例えば上架台を持ち上げてフレームと取付具との間にシムを挿入し、これによって、上架台の高さを調整することが必要である。このように上架台が上方に持ち上げられたときには、上架台のフレームに係止された取付具はそのフレームに固定されてはいないため、上架台のフレームの対向面と取付具の本体部との間に隙間が生じる。
【００１５】
このときに、上記取付具は、架台外方側においてフレームの長手方向に互いに離されて配設された一対の係止片を有している。このため、上架台が上方に持ち上げられたときには、架台外方側に、上記上架台のフレームの対向面と上記取付具の本体部と一対の係止片とによって区画される開口が形成される。こうして開口が形成されることによって、この開口を通って上記取付具とフレームとの間にシムを挿入することが可能となる。その結果、レベル調整作業の容易化が図られる。
【００１６】
また、上記係止片は架台外方側のフレーム縁部に係止されるものであり、これにより、取付具、ひいては防振部材がフレームに対して相対移動することが防止される。
【００１７】
上記防振架台には、相対向して配設された上架台のコーナーブラケットと下架台のコーナーブラケットとの間に配設されるジャッキ機構部をさらに備えてもよい。このジャッキ機構部は、その下端部が上記下架台のコーナーブラケットに固定されると共に、その上端部が上記上架台のコーナーブラケットに設けられた貫通孔内に内挿されるボルトと、該貫通孔よりも下側位置で該ボルトにねじ込まれるジャッキ用ナットとを有しかつ、上記ジャッキ用ナットをボルトの軸に沿って上方に移動させることにより、該ジャッキ用ナットが上記貫通孔の周縁部に当接して上架台のコーナーブラケットを上方に持ち上げるように構成してもよい。
【００１８】
このように、防振架台にジャッキ機構部を設けることにより、レベル調整の際に別途ジャッキを用意する必要がなくなる。また、このジャッキ機構部は、フレームの所定位置に設けられた防振部材とは異なり、コーナーブラケットの位置に設けられている。このように、防振部材とは別途にジャッキ機構部を設けることによって、このジャッキ機構部は、ボルトとジャッキ用ナットとを有する比較的簡易な構造にすることが可能になる。
【００１９】
上記ジャッキ機構部は、上架台のコーナーブラケットに設けられた貫通孔よりも上側位置でボルトにねじ込まれるストッパー用ナットをさらに有していてもよい。
【００２０】
この構成によると、上架台のコーナーブラケットに設けられた貫通孔よりも上側位置で、ストッパー用ナットを、下架台のコーナーブラケットに固定されたボルトにねじ込むため、例えば上架台に取り付けられた振動機器が横転する等によって、上架台が下架台に対して上方に大きく移動しようとしても、ストッパー用ナットが上記貫通孔の周縁部と係合することにより、上架台の移動が阻止され、振動機器の横転等が、未然に防止される。
【００２１】
このように、上記ボルトは、ジャッキ機能とストッパー機能との双方の機能に利用されるため、部品点数の低減化が図られる。
【００２２】
【発明の効果】
以上説明したように、本発明の防振架台によれば、組み立て式に構成された上架台及び下架台に対して防振部材を係止させる取付具は、その上架台及び下架台の組み立てに利用される取付ねじによって、フレームの長手方向に対する移動が規制される。これにより、防振部材の移動が規制されることになって、独立基礎や、はり基礎等のフレームの一部が支持される基礎に防振架台を設置して、振動機器を独立基礎や、はり基礎等に据え付けることができる。
【００２３】
また、上記取付ねじは、コーナーブラケットとフレームとの固定と、取付具の移動規制とに兼用されるため、部品点数を低減することができる。
【００２４】
さらに、上記取付具の係止片を互いに離して設けることで、上架台を上方に持ち上げたときには、架台外方側に、上記上架台のフレームの対向面と上記取付具の本体部と一対の係止片とによって区画される開口を形成することができ、上記取付具とフレームとの間にシムを容易に挿入することができる。
【００２５】
加えて、上記防振架台に設けられたジャッキ機構部は、防振部材とは別途に設けられているため、このジャッキ機構部を、ボルトとジャッキ用ナットとを有する比較的簡易な構造にすることができる。
【００２６】
また、ジャッキ機構部のボルトに、ジャッキ用ナットとは別のストッパー用ナットをねじ込むことによって、上記ボルトを、ジャッキ機能とストッパー機能との双方の機能に利用することができる。
【００２７】
【発明の実施の形態】
以下、本発明の実施形態を図面に基いて説明する。
【００２８】
図１及び図２は、本発明の実施形態に係る防振架台１を示している。この防振架台１は、矩形枠状の上架台２と、同じく矩形枠状であって、この上架台２の下方位置に相対向して配設される下架台３と、この上架台２と下架台３との間に介設される４つの防振部材４，４，…と、から構成されている。
【００２９】
この防振架台１は、上記下架台３が基礎Ｂに対して設置固定される一方で、上記上架台２の上側に空調機の室外機等の振動機器Ａが載置されるものであり、その振動機器Ａの振動を各防振部材４で吸収することによって、振動が基礎Ｂに伝達することを防止するものとなっている。
【００３０】
尚、図１において、紙面左手前から紙面右奥に向かう方向をＸ方向とし、紙面右手前から紙面左奥に向かう方向をＹ方向とし、紙面の上下方向をＺ方向とする。
【００３１】
上記上架台２は、上述したように矩形状の枠体であって、４つのコーナーブラケット２１，２１，…と、４つのフレーム２２，２３とから構成されている。
【００３２】
上記４つのフレーム２２，２３はそれぞれ角パイプ材であって、この４つのフレーム２２，２３の内の２つは枠体のＸ方向に延びる部分を構成するＸフレーム２２とされ、残りの２つは枠体のＹ方向に延びる部分を構成するＹフレーム２３とされている。Ｘフレーム２２は、Ｙ方向に所定間隔だけ離された状態で、互いに並行にＸ方向に延びて配設される一方で、Ｙフレーム２３は、Ｘ方向に所定間隔だけ離された状態で、互いに並行にＹ方向に延びて配設される。
【００３３】
上記４つのコーナーブラケット２１，２１，…は、枠体の四隅それぞれに配設されており、このものには、上記Ｘフレーム２２の各端部とＹフレーム２３の各端部とがそれぞれ連結されている。この各コーナーブラケット２１は、側壁部２４と、上壁部２５と、底壁部２６とからなる、架台の外方側に開口した断面略コ字状の部材に構成されている。
【００３４】
上記側壁部２４は、架台の内方側位置でＸ方向に延びて立設したＸ壁部２４ａと、架台の内方側位置でＹ方向に延びて立設したＹ壁部２４ｂとが互いに直交するように、その端部同士が連結されてなっていて、平面視で略Ｌ字状に形成されている。図２に示すように、このＬ字状の側壁部２４を構成するＸ壁部２４ａの外側面には、Ｙ方向に延びるガイド部２７が溶接により固定されていると共に、Ｙ壁部２４ｂの外側面には、Ｘ方向に延びるガイド部２７が溶接により固定されている。これらのガイド部２７，２７には、後述するように角パイプで構成されるフレーム２２，２３の端部が外挿される。
【００３５】
上記上壁部２５は、平面視で略正方形状に形成されており、架台の内方側位置で互いに直交する２つの端縁部が上記Ｌ字状の側壁部２４の上端に接続されている。この上壁部２５には、振動機器Ａの取付用ボルト（図示省略）が挿入される２つの機器取付孔２５ａ，２５ａと、後述するストッパー用ナット５５を締め付けるための工具が挿入される１つの工具挿入孔２５ｂとが、それぞれ貫通形成されている。
【００３６】
上記底壁部２６は、平面視で略１／４円形状に形成されており、架台の内方側位置で互いに直交する２つの端縁部が上記Ｌ字状の側壁部２４の下端に接続されている。この底壁部２６には、後述するジャッキ・ストッパー用ボルト５１のねじ部５１ｂが挿通されるジャッキ・ストッパー用ボルト挿通孔２６ａが形成されている（図２参照）。尚、このジャッキ・ストッパー用ボルト挿通孔２６ａには、ゴム製ブッシュ５２が取り付けられている。
【００３７】
そして、図２及び図３に示すように、上記各コーナーブラケット２１の各ガイド部２７に各フレーム２２，２３の端部が挿入され、そのフレーム２２，２３の下面側から内部に挿入された合計４つの取付ねじ２８，２８，…によって、各ガイド部２７と各フレーム２２，２３とが共締めされる。このことで、コーナーブラケット２１とフレーム２２，２３とが互いに固定され、矩形枠状の上架台２が組み上がるようになっている。
【００３８】
上記下架台３は、上述したように矩形状の枠体であって、上架台２と同様に、４つのコーナーブラケット３１，３１，…と、それぞれ角パイプ材である４つのフレーム３２，３３とから構成されている。
【００３９】
上記４つのフレーム３２，３３の内の２つは枠体のＸ方向に延びる部分を構成するＸフレーム３２であって、このものは、Ｙ方向に所定間隔だけ離された状態で、互いに並行にＸ方向に延びて配設されている。一方、４つのフレームの内の残りの２つは枠体のＹ方向に延びる部分を構成するＹフレーム３３であって、このものは、Ｘ方向に所定間隔だけ離された状態で、互いに並行にＹ方向に延びて配設されている。
【００４０】
上記４つのコーナーブラケット３１，３１，…は、枠体の四隅それぞれに配設されており、このものには、上記Ｘフレーム３２の各端部とＹフレーム３３の各端部とがそれぞれ連結されている。この各コーナーブラケット３１は、上架台２のコーナーブラケット２１とは異なり、側壁部３４と、底壁部３５とからなる、断面略Ｌ字状の部材に構成されている。
【００４１】
上記側壁部３４は、架台の内方側位置でＸ方向に延びて立設したＸ壁部３４ａと、架台の内方側位置でＹ方向に延びて立設したＹ壁部３４ｂとが互いに直交するように、その端部同士が連結されてなっていて、平面視で略Ｌ字状に形成されている。図２に示すように、このＬ字状の側壁部３４を構成するＸ壁部３４ａの外側面には、Ｙ方向に延びるガイド部３６が溶接により固定されていると共に、Ｙ壁部３４ｂの外側面には、Ｘ方向に延びるガイド部３６が溶接により固定されている。これらのガイド部３６，３６には、後述するように角パイプで構成されるフレーム３２，３３の端部が外挿される。
【００４２】
上記底壁部３５は、平面視で略正方形状に形成されており、架台の内方側位置で互いに直交する２つの端縁部が上記Ｌ字状の側壁部３４の下端に接続されている。この底壁部３５には、アンカーボルト（図示省略）が挿入される１つのアンカーボルト用挿通孔３５ａが設けられていると共に、図２に示すように凸部３５ｂが設けられている。この凸部３５ｂは、底壁部３５の底面側からＺ方向の上方に凸状に折曲されて構成されており、その内部は空間とされている。凸部３５ｂの内部空間には、後述するジャッキ・ストッパー用ボルト５１の頭部５１ａが配設され、このジャッキ・ストッパー用ボルト５１のねじ部５１ｂは、凸部３５ｂの上面部を貫通して、Ｚ方向の上方に延びて配設されている。
【００４３】
そして、図２及び図３に示すように、上記各コーナーブラケット３１の各ガイド部３６に各フレーム３２，３３の端部が挿入され、そのフレーム３２，３３の上面側から内部に挿入された合計４つの取付ねじ３７，３７，…によって、各ガイド部３６と各フレーム３２，３３とが共締めされる。このことで、コーナーブラケット３１とフレーム３２，３３とが互いに固定され、矩形枠状の下架台３が組み上がるようになっている。
【００４４】
上記防振部材４，４，…は、図１及び図２に示すように、上架台２のＸフレーム２２と下架台３のＸフレーム３２との間であって、コーナーブラケット２１，３１近傍位置にそれぞれ配設されている。この各防振部材４は、図３に示すように、コイルばね４１と、このコイルばね４１を覆うゴム弾性体４２とからなる円筒状の部材に構成されている。
【００４５】
各防振部材４は、その筒軸がＺ方向となるように配設されていて、取付具６を介してその上端部が上記上架台２のＸフレーム２２に、同じく取付具６を介してその下端部が下架台３のＸフレーム３２に、それぞれ係止されている。
【００４６】
上記各取付具６は、本体部６１と、係合筒６２と、４つの係止片６３，６３，…とから構成されている。上記本体部６１は、相対向して配設された上架台２及び下架台３のフレーム２２，３２それぞれの対向面、つまり、上架台２を構成するＸフレーム２２の下面、又は下架台３を構成するＸフレーム３２の上面に当接する略矩形の平板状に構成されている。上記係合筒６２は、上記防振部材４に内嵌されるものであり、本体部６１の略中央位置に、この本体部６１からＺ方向に突出するように設けられている。
【００４７】
上記４つの係止片６３，６３，…は、上記本体部６１の四隅それぞれに配設されており、これにより、フレームの長手方向（つまり、Ｘ方向）に隣り合う一対の係止片６３，６３は、互いに離されて設けられる。各係合片６３は、この本体部６１に対して直交するように折曲して設けられていて、各係合片６３はＸフレーム２２，３２における架台外方側及び内方側の縁部に係止されるようになっている。上記取付具６（防振部材４）は、この係合片６３によって、Ｘフレーム２２，３２に対して、その長手方向に直交する方向（つまり、Ｙ方向）に相対移動することが規制される。
【００４８】
また、上記本体部６１におけるＸ方向に相対向する一対の端縁部にはそれぞれ、係合凹部６４，６４が形成されている。この係合凹部６４には、上記コーナーブラケット２１，３１とフレーム２２，３２とを互いに固定するための取付ねじ２８，３７の頭部が係合するようになっている。このように、取付具６の本体部６１を挟んだ両側位置に取付ねじ２８，３７の頭部が配設されることで、上記取付具６（防振部材４）は、Ｘフレーム２２，３２に対して、その長手方向に相対移動することが規制される。
【００４９】
さらに、上記本体部６１におけるＹ方向に相対向する一対の端縁部にはそれぞれ、上記２つの係合片６３，６３間に開口凹部６５が形成されている。この開口凹部６５は、後述するようにシム７を挿入するための開口Ｏの一部を形成する。
【００５０】
この防振架台１にはまた、ジャッキ・ストッパー機構部５が設けられている。このジャッキ・ストッパー機構部５は、防振架台１の各コーナーブラケット２１，３１の位置に設けられていて、ジャッキ・ストッパー用ボルト５１と、固定ナット５３、ジャッキ用ナット５４、及びストッパー用ナット５５の３つのナットとによって構成されている。
【００５１】
上記ジャッキ・ストッパー用ボルト５１は、上架台２のコーナーブラケット２１と下架台３のコーナーブラケット３１とにまたがって配設されている。詳しくは、図２に示すように、下架台３を構成するコーナーブラケット３１の底壁部３５に設けられた凸部３５ｂの内部空間に、その頭部５１ａが配設されると共に、そのねじ部５１ｂが、凸部３５ｂの上面部を貫通して、上記上架台２を構成するコーナーブラケット２１の底壁部２６に設けられかつゴム製ブッシュ５２が取り付けられたジャッキ・ストッパー用ボルト挿通孔２６ａ内に挿入される。
【００５２】
上記固定ナット５３は、上記凸部３５ｂの上面部を挟んだジャッキ・ストッパー用ボルト５１の頭部５１ａとは逆側位置で、このジャッキ・ストッパー用ボルト５１のねじ部５１ｂにねじ込まれており、この固定ナット５３とその頭部５１ａとで、上記凸部３５ｂの上面部を挟み込んでこのジャッキ・ストッパー用ボルト５１を凸部３５ｂに対して固定するようにしている。
【００５３】
上記ジャッキ用ナット５４は、上記固定ナット５３よりもＺ方向の上側位置であって、上架台２のコーナーブラケット２１における底壁部２６よりも下側位置において、上記ジャッキ・ストッパー用ボルト５１のねじ部５１ｂにねじ込まれている。尚、上記ジャッキ用ナット５４と底壁部２６との間には、平座金５６が配設されている。
【００５４】
上記ストッパー用ナット５５は、上記上架台２のコーナーブラケット２１における底壁部２６よりも上側位置において、上記ジャッキ・ストッパー用ボルト５１のねじ部５１ｂにねじ込まれている。このストッパー用ナット５５は、ゴム製ブッシュ５２に対して所定の隙間を開けた状態となるように、ジャッキ・ストッパー用ボルト５１にねじ込まれている。これにより、上架台２が下架台３に対してＺ方向に相対移動したときに、コーナーブラケット２１の底壁部２６とストッパー用ナット５５とが互いに係合することになり、上記上架台２に取り付けられた振動機器Ａが転倒等することが未然に防止されるようになっている。尚、ストッパー用ナット５５とゴム製ブッシュ５２との間には、平座金５７が配設されている。ここで、上架台２のコーナーブラケット２１には、工具挿入孔２５ｂが設けられているため、防振架台１の組み立ての際に、この工具挿入孔２５ｂからねじ部５１ｂの軸方向に挿入された工具によってこのストッパー用ナット５５を容易に締め付けることが可能になる。これにより、防振架台１の組み立ての容易化が図られる。
【００５５】
こうして、上記上架台２が、防振部材４を介して下架台３に支持された防振架台１が構成されることとなる。そして、上記下架台３がアンカーボルトによって基礎Ｂに固定される一方で、上記上架台２の上に振動機器Ａが取り付けられて、この振動機器Ａが基礎Ｂに据え付けられることになる。
【００５６】
次に、防振架台１を介して振動機器Ａが基礎Ｂに据え付けられたときのレベル調整について、図４を参照しながら説明する。
【００５７】
先ず、振動機器Ａ（図示省略）が取り付けられた状態において、ストッパー用ナット５５を、ジャッキ・ストッパー用ボルト５１から取り外す（同図のＰ１参照）。
【００５８】
次に、上記ジャッキ用ナット５４を回して、このジャッキ用ナット５４をＺ方向の上方に移動させ、これにより、上架台２のコーナーブラケット２１を下架台３のコーナーブラケット３１に対して上方に移動させる（同図のＰ２）。このとき、防振部材４の取付具６は、上架台２のＸフレーム２２に固定されてはいないため、上架台２の上方への移動に伴いそのＸフレーム２２の下面と、取付具６の本体部６１との間に隙間が生じる。また、係止片６３は、Ｘフレーム２２の側面に係止した状態のままであるが、一対の係止片６３，６３は、Ｘフレーム２２の長手方向に互いに離されて配設されているため、Ｘフレーム２２の下面と、取付具６の本体部６１と、その取付具６の一対の係止片６３，６３とによって区画される開口Ｏが、架台の外方側に形成される（同図の斜線部分参照）。この開口Ｏを介して、上記Ｘフレーム２２の下面と取付具６の本体部６１との隙間に、シム７を必要な枚数だけ挿入することが可能になる。このように、係止片６３をＸフレーム２２の側面に係止させて上記取付具６がＸフレーム２２に対して相対移動することを防止した状態のままで、シム７をＸフレーム２２の下面と取付具６の本体部６１との隙間に容易に挿入することが可能になる。
【００５９】
こうして、シム７をＸフレーム２２の下面と取付具６の本体部６１との隙間に挿入すれば、ジャッキ用ナット５４を回してＺ方向の下方に移動させ、これにより、上架台２を下方に移動させる。こうして、シム７を取り付けた分だけ上架台２が上方に位置することになりレベルが調整されることになる（同図のＰ３参照）。そして、取り外していたストッパー用ナット５５をジャッキ・ストッパー用ボルト５１にねじ込み、このストッパー用ナット５５を所定の位置に位置づける。
【００６０】
このように、本実施形態に係る防振架台１では、各取付具６は、フレーム２２２，２３，３２，３３の長手方向への移動が取付ねじ２８，３７によって規制されるため、各防振部材４はフレーム２２，２３，３２，３３に沿って移動をしない。このため、従来の防振架台は、下架台の全体が支持される全面基礎にしか据え付けることができなかったのに対し、本実施形態の防振架台１は、図１に示すように、少なくともコーナーブラケット３１近傍部分のみを支持する独立基礎Ｂや、図示は省略するがはり基礎に設置して、振動機器Ａをその基礎Ｂに据え付けることができる。
【００６１】
また、上記取付ねじ２８，３７は、各取付具６の移動を規制するものであると共に、組み立て式に構成された上架台２及び下架台３の組み立てに利用されるものでもあるため、部品の兼用化による部品点数の低減化を図ることができる。
【００６２】
さらに、上記取付具６の一対の係止片６３，６３は、互いに離して配設されるため、レベル調整のために上架台２を持ち上げたときには、Ｘフレーム２２と取付具６の本体部６１とこの一対の係止片６３，６３とで区画される開口Ｏを通って、Ｘフレーム２２の下面と取付具６の本体部６１との間に、シム７を容易に挿入することができる。これにより、据付作業の容易化を図ることができる、また、取付具６に開口凹部６５を設けることによって、開口Ｏを拡大させることができ、シム７の挿入をより一層容易にすることができる。
【００６３】
また、ジャッキ・ストッパー機構部５は、防振部材４とは異なる位置に設けていることで、ジャッキ・ストッパー機構部５の構造を単純化させることができる。さらに、このジャッキ・ストッパー機構部５は、ジャッキ用ナット５４によるジャッキ機構と、ストッパー用ナット５５によるストッパー機構との双方の機構を、一つのジャッキ・ストッパー用ボルト５１で実現しているため、部品点数の低減化を図ることができる。
【図面の簡単な説明】
【図１】防振架台の全体斜視図である。
【図２】防振架台の隅部を拡大して示す正面図である。
【図３】防振部材と取付具との構成を示す分解斜視図である。
【図４】レベル調整の手順を示す説明図である。
【符号の説明】
１                        防振架台
２                        上架台
３                        下架台
２１，３１    コーナーブラケット
２２，３２    Ｘフレーム
２３，３３    Ｙフレーム
２６ａ                ジャッキ・ストッパー用ボルト挿通孔（貫通孔）
２８，３７    取付ねじ
４                        防振部材
５            ジャッキ・ストッパー機構部
５１                    ジャッキ・ストッパー用ボルト
５４          ジャッキ用ナット
５５          ストッパー用ナット
６            取付具
６１          本体部
６３          係止片
７            シム
Ａ            振動機器
Ｂ            基礎
Ｏ            開口
【図１】
2004324656.tif 000003
【図２】
2004324656.tif 000004
【図３】
2004324656.tif 000005
【図４】
2004324656.tif 000006